(57)【特許請求の範囲】
【請求項１】
被写体を撮影して撮影画像を得る撮影部と、
前記撮影部によって得られた撮影画像の中央を含んだ第１部分における明るさと、該第１部分に対し該撮影画像中で辺縁寄りの第２部分における明るさとを比較する比較部と、
前記撮影部によって得られた撮影画像の平均的な明るさと、該撮影画像中の高輝度部分における明るさとを、前記比較部での比較において、前記第１部分の明るさが前記第２部分の明るさよりも明るいほど前記高輝度部分の明るさに対する重みを重くして混合することで該撮影画像の全体的な明るさを測る測光部と、
前記測光部によって測られた明るさに基づいて、撮影画像の明るさに影響する撮影条件を調整する条件調整部とを備えたことを特徴とする撮影装置。
【請求項２】
光源と、
前記光源から発せられた光を被写体に導く導光部とを備え、
前記条件調整部が、前記光源から前記被写体を経て前記撮影部に至る光学的な経路上のいずれかで、該経路を通過する光の量を調整するものであることを特徴とする請求項１記載の撮影装置。
【請求項３】
前記第１部分における明るさを測る中央測光部と、
前記第２部分における明るさを測る辺縁測光部とを備え、
前記比較部が、前記中央測光部によって測られた明るさと、前記辺縁測光部によって測られた明るさとを比較するものであることを特徴とする請求項１又は２記載の撮影装置。
【請求項４】
前記中央測光部が、前記第１部分における高輝度部分の明るさを該第１部分における明るさとして測るものであり、
前記辺縁測光部が、前記第２部分における高輝度部分の明るさを該第２部分における明るさとして測るものであることを特徴とする請求項３記載の撮影装置。
【発明の詳細な説明】
【技術分野】
【０００１】
本発明は、被写体を撮影して撮影画像を得る撮影装置に関する。
【背景技術】
【０００２】
従来から、医療の分野においては、先端にＣＣＤなどが取り付けられた細長い管を被検体の体内に挿入し、被検体の体内を撮影して腫瘍や血栓などを観察する内視鏡装置が広く利用されている。このような内視鏡装置によれば、被検体の体内を直接撮影することによって、被検体に外的なダメージを与えることなく、放射線画像では分かりにくい病巣の色や形状などを把握することができ、治療方針の決定などに必要な情報を手軽に得ることができる。
【０００３】
このような内視鏡装置では、被検体の体内を照らし、その照明下で撮影が行われる。ここで、撮影画像が暗過ぎる、あるいは撮影画像中にハレーションが発生している等といった照明上の不具合が生じていると、撮影画像に基づいて行われる医師の診断の大きな妨げとなってしまう。そこで、撮影画像におけるこのような不具合を回避するために、撮影画像を解析することでその撮影画像の明るさを測り、被検体の体内を照らす照明を、この得られた明るさに基づいて適切な照明に自動的に調整するという技術が提案されている（例えば、特許文献１参照。）。
【特許文献１】特開平５−１６４９７６号公報
【発明の開示】
【発明が解決しようとする課題】
【０００４】
しかしながら、例えば特許文献１に示す技術等によって照明が調整されているにも関わらず、撮影画像において、医師が診断のため特に注目している部分が暗過ぎる、あるいは、その部分にハレーションが発生してしまう等といった照明上の不具合が、依然として後を絶たないというのが現状である。
【０００５】
尚、ここまで、内視鏡装置を例に挙げて、撮影画像において照明上の不具合が後を絶たないという問題について説明したが、このような問題は、被写体に対する照明を適宜に調整しながら撮影を行う撮影装置に共通に生じる問題である。
【０００６】
本発明は、上記事情に鑑み、照明上の不具合が良好に抑制された撮影を行うことができる撮影装置を提供することを目的とする。
【課題を解決するための手段】
【０００７】
上記目的を達成する本発明の撮影装置は、
被写体を撮影して撮影画像を得る撮影部と、
上記撮影部によって得られた撮影画像の中央を含んだ第１部分における明るさと、その第１部分に対しその撮影画像中で辺縁寄りの第２部分における明るさとを比較する比較部と、
上記撮影部によって得られた撮影画像の平均的な明るさと、その撮影画像中の高輝度部分における明るさとを、上記比較部での比較において、上記第１部分の明るさが上記第２部分の明るさよりも明るいほど上記高輝度部分の明るさに対する重みを重くして混合することでその撮影画像の全体的な明るさを測る測光部と、
上記測光部によって測られた明るさに基づいて、撮影画像の明るさに影響する撮影条件を調整する条件調整部とを備えたことを特徴とする。
【０００８】
この本発明の撮影装置によれば、撮影画像の明るさが、撮影画像の平均的な明るさと高輝度部分の明るさとの混合で求められる。このとき、撮影者の関心が集まる撮影画像の中央が明るいほど、高輝度部分の明るさに対する重みが増す。その結果、関心が集まる中央が明るいときには、撮影画像の明るさにおいてその中央の明るさが占める割合が高まり、関心が薄い辺縁寄りが明るいときには、その辺縁寄りの明るさではなく平均的な明るさが占める割合が高まる。これにより、関心が集まる中央にハレーションが発生しそうなときにはその兆候が適確に捉えられ、上記条件調整部が撮影条件を調整してそのハレーション発生を回避することができる。一方、関心が薄い辺縁寄りにハレーションが発生しそうになっても、上記条件調整部がその辺縁寄りの明るさに過敏に反応して肝心の中央が暗くなり過ぎてしまうといった不具合が回避されることとなる。つまり、本発明の撮影装置によれば、照明上の不具合が良好に抑制された撮影を行うことができる。
【０００９】
ここで、本発明の撮影装置において、
「光源と、
上記光源から発せられた光を被写体に導く導光部とを備え、
上記条件調整部が、上記光源から上記被写体を経て上記撮影部に至る光学的な経路上のいずれかで、その経路を通過する光の量を調整するものである」という形態は典型的な形態である。
【００１０】
この典型的な形態は、光源から発せられた光で被写体を照らして撮影する内視鏡装置に対応した形態であり、その被写体に対する照明の明るさが、光源から発せられた光を例えば上記光源と上記導光部との間で適宜に絞る等といった方法で調整されることとなる。
【００１１】
また、本発明の撮影装置は、
「上記第１部分における明るさを測る中央測光部と、
上記第２部分における明るさを測る辺縁測光部とを備え、
上記比較部が、上記中央測光部によって測られた明るさと、上記辺縁測光部によって測られた明るさとを比較するものである」という形態であっても良い。
【００１２】
この形態の撮影装置では、上記比較部において、上記第１部分における明るさと上記第２部分における明るさとが直接的に比較される。
【００１３】
尚、上記第１部分における明るさと上記第２部分における明るさとの比較方法は、この形態のような直接的な比較方法に限られず、例えば、上記第１部分における平均的な明るさと上記撮影画像の平均的な明るさとを比較することで、上記第１部分における明るさと上記第２部分における明るさとを比較する間接的な比較方法であっても良い。
【００１４】
また、この形態の撮影装置において、
「上記中央測光部が、上記第１部分における高輝度部分の明るさをその第１部分における明るさとして測るものであり、
上記辺縁測光部が、上記第２部分における高輝度部分の明るさをその第２部分における明るさとして測るものである」という形態は好ましい形態である。
【００１５】
この好ましい形態の撮影装置によれば、上記第１部分と上記第２部分とのそれぞれにおいてハレーション発生の可能性が高い高輝度部分の明るさが測光される。これにより、撮影者の関心が集まりやすい撮影画像の中央におけるハレーションの発生を一層効果的に抑制することができる。
【発明の効果】
【００１６】
以上、説明したように、本発明によれば、照明上の不具合が良好に抑制された撮影を行うことができる撮影装置を提供することができる。
【発明を実施するための最良の形態】
【００１７】
以下図面を参照して本発明の実施の形態を説明する。
【００１８】
図１は、本発明の一実施形態である内視鏡装置を示す図である。
【００１９】
この図１に示す内視鏡装置１０は、本発明にいう撮影装置の一例に相当し、被検体の内部に挿入されその内部の被写体を照らしてその照明下で撮影して撮影画像を得るスコープ１００と、スコープ１００で得られた撮影画像に各種の画像処理等を施すプロセッサ２００と、スコープ１００に照明用の光を供給する光源装置３００と、プロセッサ２００における画像処理等を経た撮影画像を表示するモニタ４００とを備えている。
【００２０】
スコープ１００は、プロセッサ２００および光源装置３００に着脱自在に装着されるものであり、光ファイバ製のライトガイド１１０と、被写体を撮影するＣＣＤ１２０を備えている。ライトガイド１１０は、光源装置３００から供給される照明用の光を、被検体内部の被写体まで導き、ＣＣＤ１２０は、その導かれた光による照明下で、被写体で反射された光を受光することでその被写体の像をあらわす動画のアナログ画像データを生成する。スコープ１００は、さらに、相関二重サンプリング（ＣＤＳ）を行うとともに、アナログデータを適宜に増幅する自動利得制御（ＡＧＣ）を行うＣＤＳ／ＡＧＣ回路１３０と、アナログデータをデジタルデータに変換するＡ／Ｄ変換回路１４０とを備えている。ＣＣＤ１２０で生成された動画のアナログ画像データは、ＣＤＳおよびＡＧＣを経てＡ／Ｄ変換回路１４０に渡され、動画のデジタル画像データに変換される。そして、その動画のデジタル画像データが、プロセッサ２００に渡される。ライトガイド１１０は、本発明にいう導光部の一例に相当し、ＣＣＤ１２０とＣＤＳ／ＡＧＣ回路１３０とＡ／Ｄ変換回路１４０とを合せたものが、本発明にいう撮影部の一例に相当する。また、スコープ１００には、このスコープ１００の型番等の各種情報を記憶するＥＥＰＲＯＭ１５０と、このスコープ１００を含む内視鏡装置１０に対するユーザからの各種操作を受け付けるスコープ側操作ボタン１６０も備えられている。
【００２１】
プロセッサ２００には、スコープ１００の各構成要素の動作を含む、この内視鏡装置１０全体の制御を行うプロセッサ側ＣＰＵ２１０と、各種制御プログラムや制御に必要な各種情報を記憶するプロセッサ側メモリ２２０とが備えられている。また、プロセッサ２００には、プロセッサ側ＣＰＵ２１０の指示により画像に対してガンマ補正や彩度補正等といった各種画像処理を行う信号処理回路２３０と、信号処理回路２３０による各種画像処理を経た画像をモニタ４００に表示する表示制御部２４０とを備えている。
【００２２】
このプロセッサ２００では、スコープ１００から渡された動画のデジタル画像データが信号処理回路２３０に入力され、そのデジタル画像データが表わす動画に対して上記の各種画像処理が施され、処理済みのデジタル画像データが表わす動画が、表示制御部２４０によってモニタ４００に表示される。また、信号処理回路２３０とプロセッサ側ＣＰＵ２１０とは、光源装置３００がスコープ１００に供給する光の量の調整にも関わっているが、その調整については後で詳細に説明する。
【００２３】
光源装置３００は、光源３１０と、光源３１０から発せられスコープ１００のライトガイド１１０に向かう光の量を調整する絞り３２０を備えている。本実施形態では、絞り３２０が、不図示の回転軸を中心に、光源３１０からライトガイド１１０までの光路と交わる方向に回転自在に配置されている。そして、光源３１０からライトガイド１１０に向かう光の量は、回転後の絞り３２０によって光路がどれだけ遮られるかに応じた量、即ち、絞り３２０の回転量に応じた量となる。また、光源装置３００には、この光源装置３００全体の動作制御を行う光源装置側ＣＰＵ３３０と、各種制御プログラムや制御に必要な各種情報を記憶する光源装置側メモリ３４０とが備えられている。上記の絞り３２０の回転量は、光源装置側ＣＰＵ３３０によって制御される。ここで、光源３１０が、本発明にいう光源の一例に相当する。
【００２４】
以下、この絞り３２０の回転量の制御による、光源３１０からライトガイド１１０に向かう光の量の調整について説明する。
【００２５】
まず、プロセッサ２００の信号処理回路２３０において、デジタル画像データが表わす動画を構成する複数コマの静止画像の中から適宜に１つの静止画像が抽出される。さらに、信号処理回路２３０では、その抽出された静止画像の各所の明るさについてのヒストグラムを作成する。作成されたヒストグラムは、プロセッサ側ＣＰＵ２１０に渡される。プロセッサ側ＣＰＵ２１０では、このヒストグラムを分析して、信号処理回路２３０で抽出された静止画像の全体的な明るさを算出する。
【００２６】
プロセッサ側ＣＰＵ２１０と信号処理回路２３０とで行われた測光で得られた明るさが、プロセッサ側ＣＰＵ２１０から光源装置側ＣＰＵ３３０に渡される。
【００２７】
光源装置側ＣＰＵ３３０は、プロセッサ側ＣＰＵ２１０から渡された明るさが、所定の許容範囲内の明るさであるか否かを判定する。そして、光源装置側ＣＰＵ３３０は、渡された明るさが許容範囲内の明るさではなかった場合に、絞り３２０の回転量を、その渡された明るさと許容範囲との差異に基づいて算出し、その算出結果に応じて絞り３２０の回転量を動かす。ここで、絞り３２０の回転量は、本発明にいう撮影条件の一例に相当し、絞り３２０と、その絞り３２０を動かす光源装置側ＣＰＵ３３０とを合せたものは、本発明にいう条件調整部の一例に相当する。
【００２８】
本実施形態では、以上に説明した、静止画像の抽出と測光と絞り３２０の回転が、この内視鏡装置１０による撮影中は所定間隔ごとに繰返し行われる。これにより、被写体に対する照明が適宜に調整されて、モニタ上に表示される動画の明るさが、上記の許容範囲内の明るさに維持されることとなる。
【００２９】
次に、プロセッサ側ＣＰＵ２１０と信号処理回路２３０とで行われる測光について詳細に説明する。
【００３０】
図２は、プロセッサ側ＣＰＵ２１０と信号処理回路２３０とにおける測光に注目して示す機能ブロック図である。
【００３１】
上述したように、信号処理回路２３０は、測光対象の静止画像の各所の明るさについてのヒストグラムを作成する。ここで、信号処理回路２３０は、画像全体についてのヒストグラム（画像全体ヒストグラム）を作成する画像全体ヒストグラム作成部２３１と、画像の中央を含んだ中央部分についてのヒストグラム（画像中央部ヒストグラム）を作成する画像中央部ヒストグラム作成部２３２と、画像のこの中央部分を囲む辺縁寄りの周辺部分についてのヒストグラム（画像周辺部ヒストグラム）を作成する画像周辺部ヒストグラム作成部２３３と備えている。測光対象の静止画像が信号処理回路２３０に入力されると、画像全体ヒストグラム作成部２３１は、この静止画像について画像全体ヒストグラムを作成し、画像中央部ヒストグラム作成部２３２は、この静止画像について画像中央部ヒストグラムを作成し、画像周辺部ヒストグラム作成部２３３は、この静止画像について画像周辺部ヒストグラムを作成する。
【００３２】
図３は、画像中央部ヒストグラムと画像周辺部ヒストグラムと画像全体ヒストグラムとを示す模式図である。
【００３３】
この図３における左側には静止画像Ｇが示され、さらに、その静止画像Ｇ中の中央を含む中央部分Ｇ１と、中央部分Ｇ１を囲む辺縁寄りの周辺部分Ｇ２が示されている。ここで、中央部分Ｇ１が本発明にいう第１部分の一例に相当し、周辺部分Ｇ２が本発明にいう第２部分の一例に相当する。
【００３４】
そして、図３における右側には、中央部分Ｇ１についてのヒストグラムである画像中央部ヒストグラムＨ１、周辺部分Ｇ２についてのヒストグラムである画像周辺部ヒストグラムＨ２、および静止画像Ｇ全体についてのヒストグラムである画像全体ヒストグラムＨ３が模式的に示されている。この図３の例では、中央部分Ｇ１における明るさの分布が、周辺部分Ｇ２における明るさの分布よりも明るい方に偏っている。
【００３５】
図２の画像中央部ヒストグラム作成部２３２、画像周辺部ヒストグラム作成部２３３、および画像全体ヒストグラム作成部２３１で作成された３種類のヒストグラムは、信号処理回路２３０からプロセッサ側ＣＰＵ２１０に渡される。
【００３６】
プロセッサ側ＣＰＵ２１０は、これら３種類のヒストグラムを使って、静止画像Ｇの全体的な明るさを求めるものであり、画像全体ヒストグラムＨ３を使って静止画像Ｇ中の高輝度部分における明るさを算出するピーク測光算出部２１１と、画像全体ヒストグラムＨ３を使って静止画像Ｇの平均的な明るさを算出する平均測光算出部２１２と、画像中央部ヒストグラムＨ１を使って中央部分Ｇ１中の高輝度部分における明るさを算出する中央明るさ算出部２１３と、画像周辺部ヒストグラムＨ２を使って周辺部分Ｇ２中の高輝度部分における明るさを算出する周辺明るさ算出部２１４と、中央明るさ算出部２１３および周辺明るさ算出部２１４それぞれで得られた明るさ同士を比較する明るさ比較部２１５と、この明るさ比較部２１５での比較結果に応じてピーク測光算出部２１１および平均測光算出部２１２それぞれ得られた明るさ同士を混合して静止画像Ｇの全体的な明るさを算出する測光値算出部２１６とを備えている。ここで、中央明るさ算出部２１３、周辺明るさ算出部２１４、明るさ比較部２１５は、それぞれ本発明にいう中央測光部、辺縁測光部、および比較部の各一例に相当する。また、ピーク測光算出部２１１と平均測光算出部２１２と測光値算出部２１６とを合せたものが、本発明にいう測光部の一例に相当する。
【００３７】
ピーク測光算出部２１１は、図３に示す画像全体ヒストグラムＨ３において高輝度側から見て累積度数が１０％となる輝度（全体ピーク輝度）Ｙｐを、静止画像Ｇ中の高輝度部分における明るさとして算出する。また、平均測光算出部２１２は、この画像全体ヒストグラムＨ３の曲線で囲まれた部分の面積を等分する輝度（全体平均輝度）Ｙａを、静止画像Ｇ中の平均的な明るさとして算出する。ここでの各算出結果は、測光値算出部２１６に渡される。
【００３８】
また、中央明るさ算出部２１３は、図３に示す画像中央部ヒストグラムＨ１において高輝度側から見て累積度数が１０％となる輝度（中央ピーク輝度）Ｙｃｈを、中央部分Ｇ１中の高輝度部分における明るさとして算出し、周辺明るさ算出部２１４は、画像周辺部ヒストグラムＨ２において高輝度側から見て累積度数が１０％となる輝度（周辺ピーク輝度）Ｙｓｈを、周辺部分Ｇ２中の高輝度部分における明るさとして算出する。ここでの各算出結果は、明るさ比較部２１５に渡される。
【００３９】
明るさ比較部２１５は、周辺ピーク輝度Ｙｓｈに対する中央ピーク輝度Ｙｃｈの比（Ｙｃｈ／Ｙｓｈ）を算出することで、中央部分Ｇ１の明るさと周辺部分Ｇ２の明るさとを比較する。この比が大きいほど、周辺部分Ｇ２に対して中央部分Ｇ１が明るいことを意味する。明るさ比較部２１５は、算出した比（Ｙｃｈ／Ｙｓｈ）を比較結果として測光値算出部２１６に渡す。
【００４０】
測光値算出部２１６は、上記のピーク輝度Ｙｐと平均輝度Ｙａとを次の算出式に従った算出によって混合することで、静止画像Ｇの全体的な明るさを示す測光値を求める。
【００４１】
測光値＝重みＷｐ×ピーク輝度Ｙｐ＋（１−重みＷｐ）×平均輝度Ｙａ
ここで、重みＷｐは混合に占めるピーク輝度Ｙｐの割合であり、この重みＷｐが重いほど、求められた測光値が示す明るさにおいて高輝度部分の明るさが占める割合が高まり、逆に、重みＷｐが軽いほど平均的な明るさが占める割合が高まる。
【００４２】
測光値算出部２１６は、まず、この重みＷｐを、明るさ比較部２１５から渡される周辺ピーク輝度Ｙｓｈに対する中央ピーク輝度Ｙｃｈの比（Ｙｃｈ／Ｙｓｈ）に基づいて求める。
【００４３】
測光値算出部２１６は、周辺ピーク輝度Ｙｓｈに対する中央ピーク輝度Ｙｃｈの比（Ｙｃｈ／Ｙｓｈ）と重みＷｐとの対応関係を表わす対応関数を有しており、その対応関数に、明るさ比較部２１５から渡された比を代入することで重みを算出する。
【００４４】
図４は、周辺ピーク輝度Ｙｓｈに対する中央ピーク輝度Ｙｃｈの比（Ｙｃｈ／Ｙｓｈ）と重みＷｐとの対応関係を表わす対応関数をグラフ化して示す図である。
【００４５】
この図４では、この対応関係を表わす対応関数が、グラフ上の折れ線Ｌで示されている。
【００４６】
この図４のグラフでは、横軸に周辺ピーク輝度Ｙｓｈに対する中央ピーク輝度Ｙｃｈの比（Ｙｃｈ／Ｙｓｈ）がとられており、縦軸に重みＷｐがとられている。グラフ上の折れ線Ｌから分かるように、本実施形態では、周辺部分Ｇ２が中央部分Ｇ１よりも圧倒的に明るいことを意味する「０．２」未満の比（Ｙｃｈ／Ｙｓｈ）に対しては、重みＷｐは「０」になり、逆に、中央部分Ｇ１が周辺部分Ｇ２よりも圧倒的に明るいことを意味する「３．０」を超える比（Ｙｃｈ／Ｙｓｈ）に対しては、重みＷｐは「１．０」になる。また、「０．２」以上「３．０」以下の比（Ｙｃｈ／Ｙｓｈ）に対しては、この比（Ｙｃｈ／Ｙｓｈ）に比例して重みＷｐは「０」から「１．０」まで増加する。
【００４７】
このような重みＷｐが上記の算出式に用いられることで、中央部分Ｇ１が周辺部分Ｇ２に対して明るいほど重みＷｐが重くなり、測光値算出部２１６において算出式で求められる測光値が示す明るさに占める、静止画像Ｇ中の高輝度部分、即ち、明るさが集中している中央部分Ｇ１の明るさの割合が高まる。逆に、周辺部分Ｇ２が中央部分Ｇ１に対して明るいほど重みＷｐは軽くなり、静止画像Ｇの平均的な明るさが占める割合が高まる。
【００４８】
測光値算出部２１６は、求めた測光値を、図１に示す光源装置側ＣＰＵ３３０に、静止画像Ｇの全体的な明るさとして渡す。
【００４９】
上述したように、光源装置側ＣＰＵ３３０は、その静止画像Ｇの全体的な明るさが許容範囲内の明るさではなかった場合に、絞り３２０の回転量を、その明るさと許容範囲との差異に基づいて算出し、その算出結果に応じて絞り３２０の回転量を動かす。具体的には、静止画像Ｇの全体的な明るさが許容範囲内の明るさよりも明るい場合には、絞り３２０を光路を遮る方向に動かして光源３１０からライトガイド１１０に向かう光の量を減らし、逆に、その明るさが許容範囲内の明るさよりも暗い場合には、絞り３２０を光路を開く方向に動かして光の量を増やす。これにより、撮影時における被写体に対する照明が適宜に調整される。
【００５０】
ここで、測光値算出部２１６から渡される明るさでは、中央部分Ｇ１が周辺部分Ｇ２に対して明るいほどその中央部分Ｇ１の明るさが多くを占めるようになる。これにより、モニタ４００に表示される動画において撮影者の関心が集まる中央部分が明る過ぎハレーションが発生しそうなときは、その中央部分の明るさが多く反映された制御が照明について行われて、その中央部分におけるハレーション発生が回避される。一方、撮影者の関心が薄い周辺部分が明る過ぎたとしても、照明については、その周辺部分の明るさよりも画像の平均的な明るさが多く反映された制御が行われるので、照明を絞り過ぎて肝心の中央部分が暗くなり過ぎてしまうといった不具合が回避される。このように、本実施形態の内視鏡装置１０によれば、照明上の不具合が良好に抑制された撮影を行うことができる。
【００５１】
尚、上記では、本発明を内視鏡装置に適用した例を示したが、本発明はこれに限るものではなく、本発明は、被写体に対する照明を適宜に調整しながら撮影を行う撮影装置一般に適用することができる。
【００５２】
また、上記では、本発明の撮影装置の一実施形態として、着脱自在のスコープ１００を備えた内視鏡装置１０を例示したが、本発明はこれに限るものではなく、本発明の撮影装置は、例えばスコープが固定されたもの等であっても良い。
【００５３】
また、上記では、本発明にいう条件調整部の一例として、絞り３２０と、その絞り３２０を動かす光源装置側ＣＰＵ３３０とを合せたものを例示したが、本発明はこれに限るものではなく、本発明の条件調整部は、ＣＣＤにおける電子シャッタのシャッタスピードを調整するものであっても良く、あるいは、ＣＤＳ／ＡＧＣ回路での自動利得制御の利得を調整するものであっても良い。
【００５４】
また、上記では、本発明にいう比較部の一例として、周辺部分中の高輝度部分の明るさに対する中央部分中の高輝度部分の明るさの比（Ｙｃｈ／Ｙｓｈ）を求めることで両部分の明るさを直接的に比較する明るさ比較部２１５を例示したが、本発明はこれに限るものではない。本発明の比較部は、例えば、中央部分中の高輝度部分の明るさに対する周辺部分中の高輝度部分の明るさの比（Ｙｓｈ／Ｙｃｈ）を求めることで両部分の明るさを直接的に比較するものであっても良く、中央部分の平均的な明るさに対する周辺部分の平均的な明るさの比あるいは周辺部分の平均的な明るさに対する中央部分の平均的な明るさの比を求めることで両部分の明るさを直接的に比較するものであっても良く、画像全体の平均的な明るさに対する中央部分の平均的な明るさの比を求めることで中央部分の明るさと周辺部分の明るさとを間接的に比較するものであっても良い。
【００５５】
また、上記では、本発明にいう第１部分および第２部分の各一例として、中央部分Ｇ１、および、この中央部分Ｇ１に隣接しかつ全周を囲む周辺部分Ｇ２を例示したが、本発明はこれに限るものではない。本発明の第１部分および第２部分は、相互間に隙間があいているものであっても良く、また、第２部分が第１部分を囲むに当たって、周囲のうちの一部を欠いた状態で囲むものであっても良い。
【００５６】
また、上記では、本発明にいう第１部分の一例として、矩形状の中央部分を例示したが、本発明はこれに限るものではなく、本発明の第１部分は、例えば円形状や楕円形状であっても良く、あるいは三角形状や五角形状等といった矩形以外の多角形状等であっても良い。
【図面の簡単な説明】
【００５７】
【図１】本発明の一実施形態である内視鏡装置を示す図である。
【図２】プロセッサ側ＣＰＵ２１０と信号処理回路２３０とにおける測光に注目して示す機能ブロック図である。
【図３】画像中央部ヒストグラムと画像周辺部ヒストグラムと画像全体ヒストグラムとを示す模式図である。
【図４】周辺ピーク輝度Ｙｓｈに対する中央ピーク輝度Ｙｃｈの比（Ｙｃｈ／Ｙｓｈ）と重みＷｐとの対応関係を表わす対応関数をグラフ化して示す図である。
【符号の説明】
【００５８】
１０    内視鏡装置
１００    スコープ
１１０    ライトガイド
１２０    ＣＣＤ
１３０    ＣＤＳ／ＡＧＣ回路
１４０    Ａ／Ｄ変換回路
１５０    ＥＥＰＲＯＭ
１６０    スコープ側操作ボタン
２００    プロセッサ
２１０    プロセッサ側ＣＰＵ
２１１    ピーク測光算出部
２１２    平均測光算出部
２１３    中央明るさ算出部
２１４    周辺明るさ算出部
２１５    明るさ比較部
２１６    測光値算出部
２２０    プロセッサ側メモリ
２３０    信号処理回路
２３１    画像全体ヒストグラム作成部
２３２    画像中央部ヒストグラム作成部
２３３    画像周辺部ヒストグラム作成部
２４０    表示制御部
３００    光源装置
３１０    光源
３２０    絞り
３３０    光源装置側ＣＰＵ
３４０    光源装置側メモリ
３５０    光源装置側操作ボタン
４００    モニタ
【図１】
0004796557.tif 000002
【図２】
0004796557.tif 000003
【図３】
0004796557.tif 000004
【図４】
0004796557.tif 000005